(57)【要約】【課題】  器具を破損させることなく蛍光ランプの取付を可能とする。【解決手段】  蛍光ランプの電気的接続用の端子が挿入される蛍光ランプ取付部材１と、蛍光ランプ取付部材を回動可能に支持する固定部材とを備えた蛍光ランプ取付器具であって、蛍光ランプ取付部材１は蛍光ランプの端子を挿入する挿入口３ａ，３ｂを有する面１ｃと、蛍光ランプ取付器具の取付面に対して蛍光ランプ取付部材が略平行状態にあるときに取付面に対して対向するように配される面１ｂとを備え、蛍光ランプ取付部材１に蛍光ランプが未装着で、且つ取付面に対して蛍光ランプ取付部材が略平行状態にあるときに、面１ｂに、少なくとも端部が粘着性を有するテープ９の端部が貼り付けられ、テープ９が面１ｂ側に引き出されている。【選択図】      図２
2006338913.tif 000002
【特許請求の範囲】
【請求項１】
両端にそれぞれ電気的接続用の端子を備えた蛍光ランプと、該蛍光ランプの一方の端子が挿入され、該蛍光ランプを長さ方向に押圧する機構を有する第１の蛍光ランプ取付器具と、該蛍光ランプの他方の端子が挿入される蛍光ランプ取付部材及び該蛍光ランプ取付部材を回動可能に支持する固定部材を備えた第２の蛍光ランプ取付器具と、を備え、前記蛍光ランプ取付部材は、前記蛍光ランプの他方の端子を挿入する挿入口を有する第１の面と、前記第１及び第２の蛍光ランプ取付器具の取付面に対して前記蛍光ランプ取付部材が略平行状態にあるときに前記取付面に対して対向するように配される第２の面とを備え、
前記蛍光ランプ取付部材に前記蛍光ランプが未装着で、且つ前記取付面に対して前記蛍光ランプ取付部材が略平行状態にあるときに、前記第２の面に、少なくとも端部が粘着性を有するテープの該端部が貼り付けられ、該テープが前記第１の面側に引き出されていることを特徴とする照明装置。
【請求項２】
請求項１に記載の照明装置において、前記テープは他端も粘着性を有し、前記第１の面を介して前記第２の面とは反対側に配置される第３の面に該他端が貼り付けられてなることを特徴とする照明装置。
【請求項３】
両端にそれぞれ電気的接続用の端子を備えた蛍光ランプと、該蛍光ランプの一方の端子が挿入され、該蛍光ランプを長さ方向に押圧する機構を有する第１の蛍光ランプ取付器具と、該蛍光ランプの他方の端子が挿入される蛍光ランプ取付部材及び該蛍光ランプ取付部材を回動可能に支持する固定部材を備えた第２の蛍光ランプ取付器具と、を備え、前記蛍光ランプ取付部材は、前記蛍光ランプの他方の端子を挿入する挿入口を有する第１の面と、前記第１及び第２の蛍光ランプ取付器具の取付面に対して前記蛍光ランプ取付部材が略平行状態にあるときに前記取付面に対して対向するように配される第２の面とを備え、
前記固定部材に取り付られ、前記蛍光ランプ取付部材の前記第２の面を押圧する弾性部材を備え、
前記蛍光ランプ取付部材に前記蛍光ランプが未装着で、且つ前記取付面に対して前記蛍光ランプ取付部材が略平行状態にあるときに、前記弾性部材と前記第２の面との間にテープが挟まれ、該テープが前記第１の面側に引き出されていることを特徴とする照明装置。
【請求項４】
請求項１から３のいずれか１項に記載の照明装置において、前記蛍光ランプ取付部材は前記蛍光ランプの前記第１の面と垂直な二つの対向する第４及び第５の面を有し、前記固定部材は該蛍光ランプ取付部材を挟むように該第４及び第５の面と対向する二つの第６及び第７の面を有し、前記第４と第５の面、及び前記第６と第７の面の一方には前記蛍光ランプ取付部材を回動及び前記蛍光ランプの長さ方向に移動させるための溝が設けられ、他方には該溝に挿入され該溝に沿って前記蛍光ランプ取付部材を回動及び前記蛍光ランプの長さ方向に移動させるための凸部が設けられていることを特徴とする照明装置。
【請求項５】
請求項４に記載の照明装置において、前記溝は「Ｌ」字形状をなすことを特徴とする照明装置。
【請求項６】
請求項１から５のいずれか１項に記載の照明装置において、前記第１及び第２の蛍光ランプ取付器具の取付面に対して前記蛍光ランプ取付部材が略平行状態にあるときに、前記蛍光ランプ取付部材は回動できないように前記固定部材に支持されていることを特徴とする照明装置。
【請求項７】
蛍光ランプの電気的接続用の端子が挿入される蛍光ランプ取付部材と、該蛍光ランプ取付部材を回動可能に支持する固定部材とを備えた蛍光ランプ取付器具であって、
前記蛍光ランプ取付部材は前記蛍光ランプの前記端子を挿入する挿入口を有する第１の面と、前記蛍光ランプ取付器具の取付面に対して前記蛍光ランプ取付部材が略平行状態にあるときに前記取付面に対して対向するように配される第２の面とを備え、
前記蛍光ランプ取付部材に前記蛍光ランプが未装着で、且つ前記取付面に対して前記蛍光ランプ取付部材が略平行状態にあるときに、前記第２の面に、少なくとも端部が粘着性を有するテープの該端部が貼り付けられ、該テープが前記第１の面側に引き出されていることを特徴とする蛍光ランプ取付器具。
【請求項８】
請求項７に記載の蛍光ランプ取付器具において、前記テープは他端も粘着性を有し、前記第１の面を介して前記第２の面とは反対側に配置される第３の面に該他端が貼り付けられてなることを特徴とする蛍光ランプ取付器具。
【請求項９】
蛍光ランプの電気的接続用の端子が挿入される蛍光ランプ取付部材と、該蛍光ランプ取付部材を回動可能に支持する固定部材とを備えた蛍光ランプ取付器具であって、
前記蛍光ランプ取付部材は前記蛍光ランプの前記端子を挿入する挿入口を有する第１の面と、前記蛍光ランプ取付器具の取付面に対して前記蛍光ランプ取付部材が略平行状態にあるときに前記取付面に対して対向するように配される第２の面とを備え、
前記固定部材に取り付られ、前記蛍光ランプ取付部材の前記第２の面を押圧する弾性部材を備え、
前記蛍光ランプ取付部材に前記蛍光ランプが未装着で、且つ前記取付面に対して前記蛍光ランプ取付部材が略平行状態にあるときに、前記弾性部材と前記第２の面との間にテープが挟まれ、該テープが前記第１の面側に引き出されていることを特徴とする蛍光ランプ取付器具。
【請求項１０】
請求項８又は９に記載の蛍光ランプ取付器具において、前記蛍光ランプ取付部材は前記蛍光ランプの前記第１の面と垂直な二つの対向する第４及び第５の面を有し、前記固定部材は該蛍光ランプ取付部材を挟むように該第４及び第５の面と対向する二つの第６及び第７の面を有し、前記第４と第５の面、及び前記第６と第７の面の一方には前記蛍光ランプ取付部材を回動及び前記蛍光ランプの長さ方向に移動させるための溝が設けられ、他方には該溝に挿入され該溝に沿って前記蛍光ランプ取付部材を回動及び前記蛍光ランプの長さ方向に移動させるための凸部が設けられていることを特徴とする蛍光ランプ取付器具。
【請求項１１】
請求項１０に記載の蛍光ランプ取付器具において、前記溝は「Ｌ」字形状をなすことを特徴とする蛍光ランプ取付器具。
【請求項１２】
請求項８から１１のいずれか１項に記載の蛍光ランプ取付器具において、前記蛍光ランプ取付器具の取付面に対して前記蛍光ランプ取付部材が略平行状態にあるときに、前記蛍光ランプ取付部材は回動できないように前記固定部材に支持されていることを特徴とする蛍光ランプ取付器具。
【請求項１３】
両端にそれぞれ電気的接続用の端子を備えた蛍光ランプと、該蛍光ランプの一方の端子が挿入され、該蛍光ランプを長さ方向に押圧する機構を有する第１の蛍光ランプ取付器具と、該蛍光ランプの他方の端子が挿入される蛍光ランプ取付部材及び該蛍光ランプ取付部材を回動可能に支持する固定部材を備えた第２の蛍光ランプ取付器具と、を備え、
前記蛍光ランプ取付部材は、前記蛍光ランプの他方の端子を挿入する挿入口を有する第１の面と、前記第１及び第２の蛍光ランプ取付器具の取付面に対して前記蛍光ランプ取付部材が略平行状態にあるときに前記取付面に対して対向するように配される第２の面とを備えた照明装置の蛍光ランプ取付方法において、
前記蛍光ランプの取付前に、前記第２の面に、少なくとも端部が粘着性を有するテープの該端部が貼り付けられた状態で、前記取付面に対して前記蛍光ランプ取付部材を略平行状態とし、
前記蛍光ランプを取り付ける際には、前記テープを前記第１の面方向に引き出すように前記テープを剥がすことで、前記蛍光ランプ取付部材を回動させた後に、前記蛍光ランプの前記他方の端子を前記蛍光ランプ取付部材に挿入することを特徴とする蛍光ランプ取付方法。
【請求項１４】
両端にそれぞれ電気的接続用の端子を備えた蛍光ランプと、該蛍光ランプの一方の端子が挿入され、該蛍光ランプを長さ方向に押圧する機構を有する第１の蛍光ランプ取付器具と、該蛍光ランプの他方の端子が挿入される蛍光ランプ取付部材及び該蛍光ランプ取付部材を回動可能に支持する固定部材を備えた第２の蛍光ランプ取付器具と、を備え、
前記蛍光ランプ取付部材は、前記蛍光ランプの他方の端子を挿入する挿入口を有する第１の面と、前記第１及び第２の蛍光ランプ取付器具の取付面に対して前記蛍光ランプ取付部材が略平行状態にあるときに前記取付面に対して対向するように配される第２の面とを備え、
前記固定部材に取り付られ、前記蛍光ランプ取付部材の前記第２の面を押圧する弾性部材を備えた照明装置の蛍光ランプ取付方法において、
前記蛍光ランプの取付前に、前記第２の面に、前記弾性部材と前記第２の面との間にテープを挟んだ状態で、前記取付面に対して前記蛍光ランプ取付部材を略平行状態とし、
前記蛍光ランプを取り付ける際には、前記テープを前記第１の面方向に引き出すことで、前記蛍光ランプ取付部材を回動させた後に、前記蛍光ランプの前記他方の端子を前記蛍光ランプ取付部材に挿入することを特徴とする蛍光ランプ取付方法。
【発明の詳細な説明】
【技術分野】
【０００１】
本発明は照明装置、蛍光ランプ取付器具及び蛍光ランプ取付方法に係わり、特に蛍光ランプを支持するとともに電気的接続をする蛍光ランプ取付部材と、該蛍光ランプ取付部材を回動可能に支持する固定部材とを有する照明装置、蛍光ランプ取付器具及び照明装置の蛍光ランプ取付方法に関するものである。
【背景技術】
【０００２】
従来の蛍光ランプの取付器具としては、本件出願人らが提案した、特許文献１に開示される構成のものがある。
【０００３】
図１３及び図１４を用いて特許文献１に開示された蛍光ランプ取付器具の構成とその動作について説明する。
【０００４】
図１３に示すように、蛍光ランプ取付器具は、蛍光ランプが挿入される蛍光ランプ取付部材１０１と、蛍光ランプ取付部材１０１を回動可能に支持する固定部材１０２とを備えている。蛍光ランプ取付部材１０１には蛍光ランプ１０９の二つの端子１０８を挿入する開口部１０３１、１０３２を有する面の下部に切り欠き部が設けられており、この切り欠き部により図１４（ｃ）に示すように、蛍光ランプ１０９を支持し、蛍光ランプ１０９が抜け落ちることを防ぐことができるようになっている。固定部材１０２の対向する２枚の側板部は「Ｌ」字状の溝と「／」状の溝とが設けられており、蛍光ランプ取付部材１０１の両側面にそれぞれ設けられた２つの凸部が挿入される。
【０００５】
蛍光ランプの取り外しの方法は図１４（ａ）〜（ｃ）に示すように、図１４（ａ）の端子固定状態から、蛍光ランプ取付部材１０１を図１４（ａ）中の上方向から押圧し、図１４（ａ）の左下方向にその分力で押圧せしめ、図１４（ｂ）の状態に移行させ、さらに、図１４（ｃ）の状態に移行させ、蛍光ランプ１０９が取り外し可能な状態とする。図１４（ｃ）の状態では、蛍光ランプ１０９の端子１０８は蛍光ランプ取付部材１の側壁部１０１ａ，１０１ｂで仮止めされ、さらに、蛍光ランプ取付部材１０１の下部に設けられた切り欠き部でも蛍光ランプ１０９が支持されており、蛍光ランプ１０９を引き抜かない限り蛍光ランプ１０９がすぐに抜け落ちることはない。蛍光ランプの取付は図１４（ａ）〜（ｃ）の動作を逆に行えばよい。
【特許文献１】特開平９−２７２０８号公報（図２、図３、図１４及び図１５）
【発明の開示】
【発明が解決しようとする課題】
【０００６】
上記蛍光ランプ取付器具を有する照明装置は、通常、蛍光ランプを取り外した状態で梱包されて運搬され、照明装置を所定の位置に取付た後に、蛍光ランプ１０９を図１４（ｃ）、図１４（ｂ）、図１４（ａ）の順序で、蛍光ランプ取付器具に取り付ける。
【０００７】
ここで、梱包の作業性や運搬時に蛍光ランプ取付部材に衝撃が掛からないように、図１４（ｃ）に示すように蛍光ランプ取付器具の蛍光ランプ取付部材１０１が跳ね上がった状態ではなく、図１４（ａ）に示すように蛍光ランプ取付部材１０１が固定部材１０２に対して平行な状態で梱包されることが望ましい。この場合、蛍光ランプ１０９は取り外して梱包される。
【０００８】
しかしながら、蛍光ランプ取付器具が取り付けられた照明装置に蛍光ランプを取り付けようとする場合、固定部材１０１の凸部と蛍光ランプ取付部材１０２の溝部との係合部が外部から見えにくいために、蛍光ランプを取付けようとする作業者は跳ね上げ機構が分からず、図１５に示すように、蛍光ランプ取付部材１０１の端子挿入口を有する面の下の空間（切り欠き部）に指やドライバーの先端を挿入して、取付状態のまま力を加えて蛍光ランプ取付部材を跳ね上げようとし、蛍光ランプ取付部材の両側面に設けられた凸部を破損させる場合があった。
【課題を解決するための手段】
【０００９】
本発明の照明装置は、両端にそれぞれ電気的接続用の端子を備えた蛍光ランプと、該蛍光ランプの一方の端子が挿入され、該蛍光ランプを長さ方向に押圧する機構を有する第１の蛍光ランプ取付器具と、該蛍光ランプの他方の端子が挿入される蛍光ランプ取付部材及び該蛍光ランプ取付部材を回動可能に支持する固定部材を備えた第２の蛍光ランプ取付器具と、を備え、前記蛍光ランプ取付部材は、前記蛍光ランプの他方の端子を挿入する挿入口を有する第１の面と、前記第１及び第２の蛍光ランプ取付器具の取付面に対して前記蛍光ランプ取付部材が略平行状態にあるときに前記取付面に対して対向するように配される第２の面とを備え、
前記蛍光ランプ取付部材に前記蛍光ランプが未装着で、且つ前記取付面に対して前記蛍光ランプ取付部材が略平行状態にあるときに、前記第２の面に、少なくとも端部が粘着性を有するテープの該端部が貼り付けられ、該テープが前記第１の面側に引き出されていることを特徴とする。
【００１０】
また本発明の照明装置は、両端にそれぞれ電気的接続用の端子を備えた蛍光ランプと、該蛍光ランプの一方の端子が挿入され、該蛍光ランプを長さ方向に押圧する機構を有する第１の蛍光ランプ取付器具と、該蛍光ランプの他方の端子が挿入される蛍光ランプ取付部材及び該蛍光ランプ取付部材を回動可能に支持する固定部材を備えた第２の蛍光ランプ取付器具と、を備え、前記蛍光ランプ取付部材は、前記蛍光ランプの他方の端子を挿入する挿入口を有する第１の面と、前記第１及び第２の蛍光ランプ取付器具の取付面に対して前記蛍光ランプ取付部材が略平行状態にあるときに前記取付面に対して対向するように配される第２の面とを備え、
前記固定部材に取り付られ、前記蛍光ランプ取付部材の前記第２の面を押圧する弾性部材を備え、
前記蛍光ランプ取付部材に前記蛍光ランプが未装着で、且つ前記取付面に対して前記蛍光ランプ取付部材が略平行状態にあるときに、前記弾性部材と前記第２の面との間にテープが挟まれ、該テープが前記第１の面側に引き出されていることを特徴とする。
【００１１】
本発明の蛍光ランプ取付器具は、蛍光ランプの電気的接続用の端子が挿入される蛍光ランプ取付部材と、該蛍光ランプ取付部材を回動可能に支持する固定部材とを備えた蛍光ランプ取付器具であって、
前記蛍光ランプ取付部材は前記蛍光ランプの前記端子を挿入する挿入口を有する第１の面と、前記蛍光ランプ取付器具の取付面に対して前記蛍光ランプ取付部材が略平行状態にあるときに前記取付面に対して対向するように配される第２の面とを備え、
前記蛍光ランプ取付部材に前記蛍光ランプが未装着で、且つ前記取付面に対して前記蛍光ランプ取付部材が略平行状態にあるときに、前記第２の面に、少なくとも端部が粘着性を有するテープの該端部が貼り付けられ、該テープが前記第１の面側に引き出されていることを特徴とする。
【００１２】
また本発明の蛍光ランプ取付器具は、照明装置蛍光ランプの電気的接続用の端子が挿入される蛍光ランプ取付部材と、該蛍光ランプ取付部材を回動可能に支持する固定部材とを備えた蛍光ランプ取付器具であって、
前記蛍光ランプ取付部材は前記蛍光ランプの前記端子を挿入する挿入口を有する第１の面と、前記蛍光ランプ取付器具の取付面に対して前記蛍光ランプ取付部材が略平行状態にあるときに前記取付面に対して対向するように配される第２の面とを備え、
前記固定部材に取り付られ、前記蛍光ランプ取付部材の前記第２の面を押圧する弾性部材を備え、
前記蛍光ランプ取付部材に前記蛍光ランプが未装着で、且つ前記取付面に対して前記蛍光ランプ取付部材が略平行状態にあるときに、前記弾性部材と前記第２の面との間にテープが挟まれ、該テープが前記第１の面側に引き出されていることを特徴とする。
【００１３】
本発明の蛍光ランプ取付方法は、両端にそれぞれ電気的接続用の端子を備えた蛍光ランプと、該蛍光ランプの一方の端子が挿入され、該蛍光ランプを長さ方向に押圧する機構を有する第１の蛍光ランプ取付器具と、該蛍光ランプの他方の端子が挿入される蛍光ランプ取付部材及び該蛍光ランプ取付部材を回動可能に支持する固定部材を備えた第２の蛍光ランプ取付器具と、を備え、
前記蛍光ランプ取付部材は、前記蛍光ランプの他方の端子を挿入する挿入口を有する第１の面と、前記第１及び第２の蛍光ランプ取付器具の取付面に対して前記蛍光ランプ取付部材が略平行状態にあるときに前記取付面に対して対向するように配される第２の面とを備えた照明装置の蛍光ランプ取付方法において、
前記蛍光ランプの取付前に、前記第２の面に、少なくとも端部が粘着性を有するテープの該端部が貼り付けられた状態で、前記取付面に対して前記蛍光ランプ取付部材が略平行状態とし、
前記蛍光ランプを取り付ける際には、前記テープを前記第１の面方向に引き出すように前記テープを剥がすことで、前記蛍光ランプ取付部材を回動させた後に、前記蛍光ランプの前記他方の端子を前記蛍光ランプ取付部材に挿入することを特徴とする。
【００１４】
また本発明の蛍光ランプ取付方法は、両端にそれぞれ電気的接続用の端子を備えた蛍光ランプと、該蛍光ランプの一方の端子が挿入され、該蛍光ランプを長さ方向に押圧する機構を有する第１の蛍光ランプ取付器具と、該蛍光ランプの他方の端子が挿入される蛍光ランプ取付部材及び該蛍光ランプ取付部材を回動可能に支持する固定部材を備えた第２の蛍光ランプ取付器具と、を備え、
前記蛍光ランプ取付部材は、前記蛍光ランプの他方の端子を挿入する挿入口を有する第１の面と、前記第１及び第２の蛍光ランプ取付器具の取付面に対して前記蛍光ランプ取付部材が略平行状態にあるときに前記取付面に対して対向するように配される第２の面とを備え、
前記固定部材に取り付られ、前記蛍光ランプ取付部材の前記第２の面を押圧する弾性部材を備えた照明装置の蛍光ランプ取付方法において、
前記蛍光ランプの取付前に、前記第２の面に、前記弾性部材と前記第２の面との間にテープを挟んだ状態で、前記取付面に対して前記蛍光ランプ取付部材を略平行状態とし、
前記蛍光ランプを取り付ける際には、前記テープを前記第１の面方向に引き出すことで、前記蛍光ランプ取付部材を回動させた後に、前記蛍光ランプの前記他方の端子を前記蛍光ランプ取付部材に挿入することを特徴とする。
【発明の効果】
【００１５】
本発明によれば、蛍光ランプ取付器具の跳ね上げ機構が分からない作業者であっても、器具を破損させることなく蛍光ランプの取付が可能となる。
【発明を実施するための最良の形態】
【００１６】
本発明の実施形態の説明に先立って、凸部の破損が起きる原因について説明する。図１５を用いて既に説明したように、凸部の破損が起きる原因は、蛍光ランプ取付器具の取付面に対して蛍光ランプ取付部材が略平行状態にあるときに、蛍光ランプ取付器具の蛍光ランプ取付部材の端子挿入口を有する面の下の空間（切り欠き部）があると、この空間に指やドライバーの先端を挿入して、取付状態のまま力を加えて蛍光ランプ取付部材を跳ね上げようとすることにある。したがって、端子挿入口下の空間をなくせば、凸部の破損を抑制することができる。しかし、切り欠き部をなくしてしまうと、図１４（ｃ）に示すような、切り欠き部で蛍光ランプ１０９を支持する機能が損なわれることになる。
【００１７】
また、蛍光ランプ取付部材の端子挿入口を有する面の下の空間は切り欠き部を設けなくても生ずる。図９に示すような蛍光ランプ取付器具では、蛍光ランプ取付部材２１の端子挿入口を有する面が固定部材２２より蛍光ランプ側に突き出しているために、蛍光ランプ取付部材２１の端子挿入口を有する面の直下に固定部材２２がなく空間が生じる。図９に示すようにこの空間に指やドライバーの先端を挿入して、取付状態のまま力を加えて蛍光ランプ取付部材を跳ね上げようとすることになる。
【００１８】
さらに、固定部材の形状によっても、蛍光ランプ取付部材の端子挿入口を有する面の下に空間が生ずる。蛍光ランプ取付器具を照明装置に取り付ける場合、図１０に示すように、固定部材３２の底部に逆「π」字状のはめ込み部を設け、「コ」字型の筐体３３にそれを受ける溝を設けて、筐体３３に固定部材３２を取り付ける。すると図１０に示すように、固定部材３２のはめ込み部に空間が生じ、この空間に指やドライバーの先端を挿入して、取付状態のまま力を加えて蛍光ランプ取付部材を跳ね上げようとすることになる。
【００１９】
また、図１１に示すように、固定部材の対向する２枚の側板部に「Ｌ」字状の溝が設けられない蛍光ランプ取付部材でも蛍光ランプ取付部材の端子挿入口を有する面の下に空間が生ずると、図１２に示すように、この空間に指やドライバーの先端を挿入して、取付状態のまま力を加えて蛍光ランプ取付部材を跳ね上げようとすることになる。この場合、蛍光ランプ取付部材が一定角度まで回動可能であるが、さらに力が加わると凸部を破損することになる。
【００２０】
以上の説明では、凸部が破損するとして説明したが、凸部が挿入される溝が破損する場合もある。また、固定部材に凸部が設けられ、蛍光ランプ取付部材にそれを受ける溝（凹部）が設けられる場合もある。
【００２１】
上述したように、蛍光ランプ取付部材の端子挿入口を有する面の下には種々の要因で空間が生ずるが、本発明では、蛍光ランプ取付器具の取付面に対して蛍光ランプ取付部材が略平行状態にあるときに、取付面に対して対向するように配される第２の面（蛍光ランプ取付部材の底面）に、少なくとも端部が粘着性を有するテープの該端部を貼り付け、テープを第１の面（蛍光ランプの端子を挿入する挿入口を有する、蛍光ランプ取付部材の面）側に引き出す。こうすることで、テープにより指やドライバーの先端のような押上げ用の部材が挿入されないようにできる。そして、蛍光ランプを取り付ける際には、テープを第１の面方向に引き出すことで、蛍光ランプ取付部材を回動させる。蛍光ランプ取付部材を回動する最中又は回動後にテープが剥がれ、蛍光ランプの取付けが可能な状態となる。
【００２２】
また、本発明では、蛍光ランプ取付器具の取付面に対して対向するように配される第２の面（蛍光ランプ取付部材の底面）を押圧する弾性部材を固定部材に取り付け、取付面に対して蛍光ランプ取付部材が略平行状態にあるときに、弾性部材と第２の面との間にテープを挟み、テープを第１の面（蛍光ランプの端子を挿入する挿入口を有する、蛍光ランプ取付部材の面）側に引き出す。こうすることで、テープにより指やドライバーの先端のような押上げ用の部材が挿入されないようにできる。そして、蛍光ランプを取り付ける際には、テープを第１の面方向に引き出すようにすることで、蛍光ランプ取付部材を回動させる。蛍光ランプ取付部材を回動する最中又は回動後にテープが弾性部材と第２の面との間から引き出され、蛍光ランプの取付けが可能な状態となる。
【００２３】
以下、本発明の実施の形態について更に実施例に基づいて詳細に説明する。なお、本発明の実施形態は以下の実施例に限定されず、図１５、図９、図１１に示したような蛍光ランプ取付器具にも適用可能である。
【実施例１】
【００２４】
図１は本発明の第１実施例に係わる蛍光ランプの取付方法による蛍光ランプ取付部材の跳ね上げ方法を示す図、図２（ａ）、（ｂ）は蛍光ランプ取付器具にテープを貼り付ける動作及び蛍光ランプ取付器具の構成を示す図、図３（ａ）、（ｂ）はテープ形状の例を示す図、図４は本発明の第１実施例の照明器具の一部及び蛍光ランプ取付器具を示す分解斜視図、図５は蛍光ランプ取付器具に形成される空間を示す図、図６は蛍光ランプの取付け方法を示す図、図７は照明装置の全体構成を示す図である。
【００２５】
本実施例の照明装置は、図４及び図７に示すように、蛍光ランプ１１と、蛍光ランプ１１を図中左方向から押圧するための第１の蛍光ランプ取付器具１５と、蛍光ランプ１１が挿入され、蛍光ランプ１１の端子と電気的接続を行うための蛍光ランプ取付部材１及び蛍光ランプ取付部材１の回動を支持する固定部材６からなる第２の蛍光ランプ取付器具１６と、を備えている。第１の蛍光ランプ取付器具１５は図７に示すように、端子取付け部１７と器具本体１８と端子取付け部１７を押圧するバネとからなる。
【００２６】
本実施例では蛍光ランプ取付部材１の長さ方向（蛍光ランプの長さ方向）の長さが、固定部材６の長さ方向（蛍光ランプの長さ方向）より長くなっており、挿入口３ａ，３ｂを有する面下に生ずる空間は蛍光ランプ取付部材１と筐体１０との間の空間となる。図５は、蛍光ランプ取付部材１の端子を挿入する挿入口３ａ，３ｂを有する面１ｃ（第１の面）と筐体１０との間に形成される空間を示す。
【００２７】
蛍光ランプ取付部材１の端子挿入口３ａ，３ｂ内には、蛍光ランプの端子が挿入される電気接続用金具が設けられている。
【００２８】
固定部材６の２枚の側板部は蛍光ランプ取付部材１を挟むように設けられており、各側板部には「Ｌ」字状の溝７と「／」状の溝８とが設けられており、蛍光ランプ取付部材１の両側面にそれぞれ設けられた２つの凸部４，５が挿入される。固定部材６の「π」の字状部が「コ」の字状の筐体１０の溝に取付られる。固定部材６の側板部に「Ｌ」字状の溝７と「／」状の溝８とが設けられ、蛍光ランプ取付部材１の両側面に２つの凸部４，５が設けられているのは、蛍光ランプ取付部材を回動可能とするとともに、第１及び第２の蛍光ランプ取付器具の取付面に対して蛍光ランプ取付部材１が略平行状態（平行及び実質的に平行と考えられる状態を含む意である。）にあるときには、蛍光ランプ取付部材１が回動できないようにするためである。
【００２９】
なお、蛍光ランプ取付部材１の両側面に「Ｌ」字状の溝と「／」状の溝を設け、固定部材６にこれらの溝に入り込む凸部を設けてよいことは勿論である。
蛍光ランプ取付器具１６には、蛍光ランプ取付部材１に蛍光ランプ１１が未装着で、且つ蛍光ランプ取付器具１６の筐体１０の取付面に対して蛍光ランプ取付部材１が略平行状態にあるときに、図２（ｂ）に示す蛍光ランプ取付部材１の底面１ｂ（第２の面）に、少なくとも端部が粘着性を有するテープ９の端部が貼り付けられ、テープ９が面１ｃ（第１の面）側に引き出されている。テープ９の他端も粘着性を有し、蛍光ランプ取付部材１の上面１ａ（第３の面）に貼り付けられる。梱包や取り扱いの便宜、端子挿入口の保護からは、テープ９の他端も蛍光ランプ取付部材１の上面１ａに貼り付けられることが望ましいが、空間にテープが挿入されていることで、この空間に指等を入れることを防ぐことができるので、必ずしもテープ９を蛍光ランプ取付部材１の上面１ａに貼り付けなくてもよい。
【００３０】
図１（ａ）〜図１（ｃ）に示すように、蛍光ランプ取付部材１の上面１ａに貼り付けられたテープ９を剥がし（図１（ａ））、テープ９を引っ張ると、蛍光ランプ取付部材１の二つの凸部４、５は「Ｌ」字状の溝７の左下部及び「／」状の溝８の左下部に移動し、蛍光ランプ取付部材１が傾く（図１（ｂ））、さらにテープ９を引っ張ると蛍光ランプ取付部材１が回動して跳ね上がるとともに、テープ９が蛍光ランプ取付部材１の底面１ｂから剥がれる（図１（ｃ））。テープ９が剥がれにくい場合には蛍光ランプ取付部材１が回動して跳ね上がった後に作業者がテープ９を剥がしてもよい。
【００３１】
テープ９は、図３（ａ）に示すように、蛍光ランプ取付部材１の上面１ａへの粘着面９ａの幅を底面１ｂへの粘着面９ｂの幅より大きくしたもの、図３（ｂ）に示すように、蛍光ランプ取付部材１の上面１ａへの粘着面９ａの幅と底面１ｂへの粘着面９ｂの幅とを同じにしたもの等があるが、かかる形状に限定されず任意の形状でよい。また、テープ９の全体の面に粘着性を付与してもよい。テープの粘着面と反対の面には、「ランプ装着前にこのテープを引いて下さい」、又は上面１ａにテープが貼り付けられている場合には「ランプ装着前にこのテープを剥がして引いて下さい」、等の表示を行うことにより作業者に確実に作業工程を知らせることができる。
【００３２】
以下、図１（ａ）〜（ｃ）の動作により、蛍光ランプ取付部材が跳ね上がった後の蛍光ランプ取付器具への蛍光ランプ取付け方法について、図６（ａ）〜（ｃ）を用いて説明する。
【００３３】
まず、図７の第１の蛍光ランプ取付器具１５に蛍光ランプ１１の一方の端子を挿入した後、図６（ａ）に示すように、蛍光ランプ取付部材が跳ね上がった状態で、蛍光ランプ１１の他方の端子を端子抑え部２ａ，２ｂ下の端子挿入口３ａ，３ｂ内に挿入する。端子抑え部２ａ，２ｂは振動等があっても蛍光ランプ１１の端子が抜け落ちないように端子を支えるとともに蛍光ランプ１１を押圧して下降させる役割を担うが、端子挿入口３ａ，３ｂで端子を十分支えることができたり、蛍光ランプの押圧の必要がないならば端子抑え部２ａ，２ｂを設けなくてもよい。このとき、蛍光ランプ取付部材１の二つの凸部４、５は「Ｌ」字状の溝７の上部及び「／」状の溝８の左下部に位置している。端子挿入口は図６（ａ）〜図６（ｃ）の間の状態移行が可能であるように縦長く（跳ね上げ方向に長く）設けられているが、必ずしも縦長に設けなくてもよい。本実施例では、端子挿入口を縦長にして、蛍光ランプ取付部材１の跳ね上げ角度を大きくして蛍光ランプの着脱を容易化しているが、蛍光ランプ取付部材１の跳ね上げ角度を小さくすれば端子挿入口を縦長としなくてもよい（円形形状としてもよい）。
【００３４】
次に蛍光ランプ１１又は蛍光ランプ取付部材１を押す（図６（ａ）のＦ１方向）と、蛍光ランプ取付部材１は反時計回りに回転下降し、図６（ｂ）に示すような状態となる。蛍光ランプ取付部材１の回転下降と同時に蛍光ランプ１１も下降する。蛍光ランプ１１は蛍光ランプ取付部材１の端子抑え部２ａ，２ｂにより押されて確実に下降するようになっている（つまり、端子抑え部２ａ，２ｂは下降時の蛍光ランプ抑え部としても機能している）。このとき、蛍光ランプ取付部材１の二つの凸部４、５は「Ｌ」字状の溝７の左下部及び「／」状の溝８の左下部に位置している。
【００３５】
さらに、蛍光ランプ１１及び蛍光ランプ取付部材１はスライドし（図６（ｂ）中の右方向）、蛍光ランプ取付部材１の二つの凸部４，５は「Ｌ」字状の溝７の右下部及び「／」状の溝８の右上部に移動する。蛍光ランプ取付部材１の二つの凸部４、５をこの位置に移動させると、蛍光ランプ取付部材１は固定される（図６（ｃ））。すなわち、図６（ｃ）の状態に蛍光ランプ取付部材１を配置すると、第１の蛍光ランプ取付器具１５により、バネで蛍光ランプ１１が押圧され、蛍光ランプ取付部材１は図中右方向の力を受けているので、蛍光ランプ取付部材１を図中左下方向に押圧しない限り、蛍光ランプ取付部材１が図６（ｃ）の左方向に移動することはない。
【００３６】
次に蛍光ランプ取付器具から蛍光ランプを取り外す方法について説明する。基本的には蛍光ランプ取付け方法と逆の操作を行えばよい。
【００３７】
即ち、蛍光ランプ取付部材１を上方向から押圧して（図６（ｃ）のＦ２方向）、図３（ｃ）の左下方向にその分力で押圧せしめ、図６（ｃ）の状態から図６（ｂ）の状態に移動させる。そして、図６（ｂ）から図６（ｃ）の状態に移動させる。第１の蛍光ランプ取付器具１５のバネで蛍光ランプ１１は押圧されているので、蛍光ランプ取付部材１が傾くことで、蛍光ランプ１１より蛍光ランプ取付部材１には跳ね上げる力が働くので小さな力で（又は自動的に）、図６（ｂ）の状態から図６（ａ）の状態に移行させることが可能となる。固定部材６と蛍光ランプ取付部材１との間にバネを設け蛍光ランプ取付部材１を跳ね上げる力を与えておけば、さらに跳ね上げる力が強くなり自動的に図６（ａ）の状態に移行させることが可能となる。このように固定部材６と蛍光ランプ取付部材１との間にバネを設けても図６（ｃ）の取付状態では凸部４が「Ｌ」字状の溝７の右下部で止まっているので、蛍光ランプ取付部材１が跳ね上がることはない。
【００３８】
蛍光ランプ１１の端子の、蛍光ランプ取付部材１内の電気接続用金具への電気的接続は図６（ｃ）の取付状態で電気的接続が保たれていればよく、図６（ａ）、図６（ｂ）の状態で電気的接続がされていても、されていなくてもよいが、図６（ａ）の状態では蛍光ランプの着脱を行うので、電気的接続がなされていない方がよい。
【００３９】
図６（ａ）の状態では、蛍光ランプ１１の端子は端子挿入口３ａ，３ｂで支えられているので蛍光ランプ１１は仮止め状態にある。仮止めとは蛍光ランプ１１の一端が跳ね上がって取り出し容易な状態であるとともに、端子が蛍光ランプ取付部材に保持された状態にあることをいう。本実施形態では端子抑え部２ａ，２ｂが設けられており、端子抑え部２ａ，２ｂは、蛍光ランプ１１の端子が端子挿入口に十分挿入されていなくても、あるいは蛍光ランプ１１に引き出す方向の力が過誤により掛かっても、或いは蛍光ランプ１１に振動が与えられても、蛍光ランプが蛍光ランプ取付部材から抜け落ちないように端子を支える役割を担う。
【実施例２】
【００４０】
第１の実施例では、端部が粘着性を有するテープ９の端部を蛍光ランプ取付部材１の底面１ｂ（第２の面）に貼り付けたが、蛍光ランプ取付部材１の底面１ｂ（第２の面）を押圧するバネ、板バネ等の弾性部材を固定部材に取り付け、弾性部材と底面１ｂとの間にテープを挟んでもよい。
図１６は本発明の第２実施例に係わる固定部材の構成を示す斜視図、図１７（ａ）、（ｂ）はテープを蛍光ランプ取付器具に装着前の状態を示す図、装着後の状態を示す図である。
本実施例においては、バネ等の弾性部材１９を固定部材６に取り付け、弾性部材１９と底面１ｂとの間にテープ９を挟む。底面１ｂに対して蛍光ランプ取付部材１が略平行状態にあるときは底面１ｂで弾性部材１９が押された状態にあるので、弾性部材１９によりテープ９を挟む力は強い。しかし、蛍光ランプ取付部材が跳ね上がるように回動すると弾性部材１９によりテープ９を挟む力が弱くなり、テープ９は弾性部材１９と底面１ｂとの間から引き出される。弾性部材１９と底面１ｂとの間からテープ９が引き出される動作は図１（ａ）〜（ｃ）と同様である。なお、本実施例で用いるテープも第１実施例と同様に、図３に示したような粘着面を有するテープを用いてもよく、その場合、テープの引き出しの際に、弾性部材１９による押圧力とテープの粘着力とにより、より確実に蛍光ランプ取付部材１を回動させることができる。なお、弾性部材１９は、既に第１実施例で説明した蛍光ランプ取付部材１を跳ね上げる力を与えるバネと兼用することができる。
【００４１】
上述した第１及び第２の実施例では、蛍光ランプ取付部材１の長さ方向（蛍光ランプの長さ方向）の長さが、固定部材６の長さ方向（蛍光ランプの長さ方向）より長くなっているが、蛍光ランプ取付部材１の長さ方向（蛍光ランプの長さ方向）の長さが、固定部材の長さ方向（蛍光ランプの長さ方向）と同じ又は短くしてもよい。
【００４２】
また上記第１及び第２の実施例では、蛍光ランプ取付部材に二つの凸部を設け、固定部材に「Ｌ」字状の溝と「／」状の溝を設けて、蛍光ランプ取付部材の回動と蛍光ランプ取付部材の固定とを可能とした。しかしながら、図８に示すように、蛍光ランプ取付部材１３に一つの凸部を設け、固定部材１４に「Ｌ」字状の溝を設けるようにしてもよい。この場合、蛍光ランプ取付部材１３の凸部が固定部材１４の「Ｌ」字状の溝の右下部に移動しても、蛍光ランプ取付部材１３は完全に固定状態とはならず、また蛍光ランプの取り外し時には蛍光ランプ取付部材を蛍光ランプの配置方向に押圧する必要があるが、蛍光ランプ取付部材１３の凸部が固定部材１４の「Ｌ」字状の溝の右下部に移動したときに蛍光ランプ取付部材を保持し、蛍光ランプの取り外し時には蛍光ランプ取付部材を蛍光ランプの配置方向に押圧する機構を別途設ければ、第１及び第２の実施例の構成と同様な機能を実現することができる。このような機構は固定部材１４に設けてもよい。
【産業上の利用可能性】
【００４３】
本発明は、従来の構成では蛍光ランプの着脱が難しい照明装置、例えば、管形の小さい蛍光ランプを用いる棚下照明用等の照明装置や蛍光ランプ取付器具に用いることができる。
【図面の簡単な説明】
【００４４】
【図１】本発明の第１実施例に係わる蛍光ランプの取付方法による蛍光ランプ取付部材の跳ね上げ方法を示す図である。本発明の第１実施例の照明器具の一部及び蛍光ランプ取付器具を示す分解斜視図である。
【図２】蛍光ランプ取付器具にテープを貼り付ける動作及び蛍光ランプ取付器具の構成を示す図である。
【図３】テープ形状の例を示す図である。
【図４】本発明の第１実施例の照明器具の一部及び蛍光ランプ取付器具を示す分解斜視図である。
【図５】蛍光ランプ取付器具に形成される空間を示す図である。
【図６】蛍光ランプの取付け方法を示す図である。
【図７】照明装置の全体構成を示す図である。
【図８】本発明のさらに他の例の照明器具の蛍光ランプ取付器具を示す斜視図である。
【図９】凸部の破損が起きる原因を説明するための図である。
【図１０】凸部の破損が起きる原因を説明するための図である。
【図１１】凸部の破損が起きる原因を説明するための図である。
【図１２】凸部の破損が起きる原因を説明するための図である。
【図１３】従来の蛍光ランプ取付器具を説明するための図である。
【図１４】従来の蛍光ランプ取付器具の蛍光ランプ取り外し方法を説明するための図である。
【図１５】従来の蛍光ランプ取付器具の課題を説明するための図である。
【図１６】本発明の第２実施例に係わる固定部材の構成を示す斜視図である。
【図１７】（ａ）、（ｂ）はテープを蛍光ランプ取付器具に装着前の状態を示す図、装着後の状態を示す図である。
【符号の説明】
【００４５】
１  蛍光ランプ取付部材
３ａ，３ｂ  端子挿入口
４，５  凸部
６  固定部材
７，８  溝
９  テープ
１０  筐体
１１  蛍光ランプ
１５ 第１の蛍光ランプ取付器具
１６ 第２の蛍光ランプ取付器具
１７  端子取付け部
１８  器具本体
【図１】
2006338913.tif 000003
【図２】
2006338913.tif 000004
【図３】
2006338913.tif 000005
【図４】
2006338913.tif 000006
【図５】
2006338913.tif 000007
【図６】
2006338913.tif 000008
【図７】
2006338913.tif 000009
【図８】
2006338913.tif 000010
【図９】
2006338913.tif 000011
【図１０】
2006338913.tif 000012
【図１１】
2006338913.tif 000013
【図１２】
2006338913.tif 000014
【図１３】
2006338913.tif 000015
【図１４】
2006338913.tif 000016
【図１５】
2006338913.tif 000017
【図１６】
2006338913.tif 000018
【図１７】
2006338913.tif 000019